(57)【特許請求の範囲】
【請求項１】
（ａ）５質量％〜２０質量％のＣ８及び／又はＣ１０ジメチルアルキルアミド溶媒と；
（ｂ）１５質量％〜３０質量％のアニオン性界面活性剤アミン塩であって、そのアニオン性界面活性剤は直鎖アルキルベンゼンスルホン酸である、アニオン性界面活性剤アミン塩と；
（ｃ）共溶媒と；
（ｄ）中和剤と；
（ｅ）水と
を含む、洗浄組成物であって、
前記組成物に含まれるｄ−リモネンは０．０１質量％未満であり、
前記共溶媒は前記洗浄組成物の最高３０質量％を構成し、前記共溶媒はグリコールエーテルであり、
前記中和剤は、前記洗浄組成物中に、前記直鎖アルキルベンゼンスルホン酸を中和するのに十分な量以上３５質量％以下の量で提供され、前記中和剤はモノエタノールアミン及びトリエタノールアミンを含む、洗浄組成物。
【請求項２】
前記Ｃ８及び／又はＣ１０ジメチルアルキルアミドは飽和している、請求項１に記載の洗浄組成物。
【請求項３】
前記洗浄組成物の０．０１質量％〜１５質量％を構成するキレート剤を更に含む、請求項１に記載の洗浄組成物。
【請求項４】
前記洗浄組成物が、炊事用具予浸組成物、硬質表面洗剤、又はアスファルト溶解組成物である、請求項１に記載の洗浄組成物。
【請求項５】
（ａ）５質量％〜２０質量％の飽和Ｃ８及び／又はＣ１０ジメチルアルキルアミド溶媒と；
（ｂ）１５質量％〜３０質量％のアニオン性界面活性剤アミン塩であって、そのアニオン性界面活性剤は直鎖アルキルベンゼンスルホン酸である、アニオン性界面活性剤アミン塩と；
（ｃ）共溶媒と；
（ｄ）中和剤と；
（ｅ）水と
を含む、アスファルト溶解／硬質表面洗浄／炊事用具予浸組成物であって、
前記組成物に含まれるｄ−リモネンは０．０１質量％未満であり、
前記共溶媒は前記組成物の最高３０質量％を構成し、前記共溶媒はグリコールエーテルであり、
前記中和剤は、前記洗浄組成物中に、前記直鎖アルキルベンゼンスルホン酸を中和するのに十分な量以上３５質量％以下の量で提供され、前記中和剤はモノエタノールアミン及びトリエタノールアミンを含む、組成物。
【請求項６】
前記組成物の０．０１質量％〜１５質量％を構成するキレート剤を更に含む、請求項５に記載の組成物。
【請求項７】
前記組成物のｐＨが６．５〜１０である、請求項５に記載の組成物。
【請求項８】
表面からアスファルト、食紅又は黒色油性汚れを除去する方法であって、前記方法は：
請求項１〜４のいずれか一項に記載の洗浄組成物、又は請求項５〜７のいずれか一項に記載のアスファルト溶解／硬質表面洗浄／炊事用具予浸組成物を希釈水で希釈して使用溶液を形成することと；
前記表面を前記使用溶液と接触させることとを含む、方法。
【請求項９】
前記汚れは最高２０質量％のタンパク質を含む、請求項８に記載の方法。
【発明の詳細な説明】
【技術分野】
【０００１】
本発明は、洗浄組成物及びそれに使用される溶媒の分野に関する。具体的には、本発明は、洗浄のための環境にやさしいアルキルアミドの溶媒成分、例えば、限定されないが、食品及び油性汚れ硬質表面洗浄組成物、炊事用具浸漬組成物、及びアスファルトの溶解に関する。
【背景技術】
【０００２】
非毒性で非常に良好な環境特性を有する再生可能な生物学的原料から導かれる溶媒は、多くのハロゲン化溶媒又は他の有毒な溶媒の代替として非常に望まれてきている。
【０００３】
ｄ−リモネンは、柑橘類の果皮油の主要成分として天然に生じる生物分解可能な洗浄溶媒及び脱脂剤である。これらのユーザーフレンドリーな特徴は、ｄ−リモネンの溶媒用途における使用を促進している。しかしながら、ｄ−リモネンはいくつかの物理的特性が欠如しており、より広範囲に使用するには適用性が限られている。
【０００４】
ｄ−リモネンは水混和性でなく、したがって容易に水ですすぐことができず、非水溶性洗浄溶媒であると考えられている。ｄ−リモネンは、適用された表面からすばやく蒸発しない、遅乾性溶媒である。
【０００５】
多くの他の洗浄用途において、水混和性は重要である。溶媒洗浄工程の後、溶媒で洗浄された表面を水ですすぐことができることは、有機溶媒を用いたすすぎより好ましい。更に、水性のすすぎは、多くの場合、適用した後の取扱い及び廃棄がより容易である。したがって、水すすぎ能力は、経済的及び環境的理由から、洗浄溶媒において非常に望ましい。
【０００６】
本発明の目的は、ｄ−リモネン又は本明細書に列挙する限定を有する他の溶媒の代替として、環境的に望ましい溶媒成分を含み、優れた表面の洗浄をも提供する洗浄組成物を提供することである。
【発明の概要】
【０００７】
本発明は、ｄ−リモネンと少なくとも同程度に良好に機能する、再生可能な生物由来資源から導かれる、環境にやさしいアルキルアミド溶媒を含む洗浄組成物を含む。一実施形態において、本発明は、界面活性剤と、アルキルアミド溶媒と、任意のキレート剤と、水とを含む洗浄組成物である。組成物は、ｄ−リモネンを実質的に含まなくてもよい。
【０００８】
一つの側面において、本技術は、約０．５質量％〜約３０質量％の溶媒と；約５．０質量％〜約４０質量％の一つ又は複数の界面活性剤と；０．１質量％〜約９０質量％のキャリアとを有し、溶媒は、アルキルアミド溶媒、その誘導体、及び／又はこれらの組み合わせである、洗浄組成物を提供する。いくつかの側面において、洗浄組成物は、他の機能性添加剤、例えばキレート剤、水調整剤、共溶媒等を含むことができる。
【０００９】
他の側面において、本技術は、約０．５質量％〜約３０質量％の溶媒と；約５．０質量％〜約４０質量％の一つ又は複数の界面活性剤と；０．１質量％〜約９０質量％のキャリアとを含む硬質表面洗浄組成物であって、溶媒は、アルキルアミド溶媒、その誘導体、及び／又はこれらの組み合わせであり、硬質表面洗剤は、ｄ−リモネン溶媒を有する硬質表面洗剤に比べて少なくとも同等の洗浄性能を提供する、硬質表面洗浄組成物を提供する。いくつかの側面において、硬質表面洗剤は、水で少なくとも１：１０に希釈される。他の側面において、硬質表面洗剤は、水で少なくとも１：５０、代替的に１：１００、代替的に１：５００、代替的に１：１０００に希釈される。
【００１０】
他の側面において、本技術は、０．５質量％〜約３０質量％の溶媒と；約５．０質量％〜約４０質量％の一つ又は複数の界面活性剤と；０．１質量％〜約９０質量％のキャリアとを含み、溶媒は、アルキルアミド溶媒、その誘導体、及び／又はこれらの組み合わせである、予浸食器洗浄用組成物を提供する。予浸組成物は、溶媒としてアルキルアミドの代わりにｄ−リモネンを用いた同様の予浸食器洗浄に比べて、少なくとも同等の洗浄性能を提供する。
【００１１】
さらに他の側面において、本技術は、５．０質量％〜約４０質量％の一つ又は複数の界面活性剤と、０．１質量％〜約９０質量％のキャリアとを含む組成物の少なくとも１：１０の希釈物を含む即使用可能な洗浄組成物であって、溶媒は、アルキルアミド溶媒、その誘導体、及び／又はこれらの組み合わせである、即使用可能な洗浄組成物を提供する。即使用可能な洗浄組成物は、溶媒としてｄ−リモネンを含む同様の即使用可能な組成物に比べて、少なくとも同等の泡性能を提供する。
【００１２】
他の実施形態において、本発明は、表面から汚れを除去する方法である。方法は、洗剤を希釈水で希釈して使用溶液を形成し、表面を使用溶液に接触させることを含む。一実施形態において、洗剤は、０．５質量％〜約３０質量％の溶媒と；約５．０質量％〜約４０質量％の一つ又は複数の界面活性剤と；０．１質量％〜約９０質量％のキャリアとを含み、溶媒は、アルキルアミド溶媒、その誘導体、及び／又はこれらの組み合わせである。組成物は、一つ又は複数の機能性成分、例えばｐＨ調整剤、キレート剤、及び／又は水調製剤を任意に含んでもよい。使用溶液は、最高２０％のタンパク質を含む汚れを除去することができる。
【００１３】
さらに他の側面において、本技術は、石油の一次及び二次回収方法における、石油又はアスファルトを溶解するための水性組成物を提供する。石油回収は、石油を含む形成物に穿孔することによって典型的に達成され、本発明の溶媒含有組成物を用いて、ドリルに蓄積した石油堆積物を溶解することによって石油回収を強化してもよい。それらを用いて、二次回収方法、例えば粘性石油／アスファルトを含むものの回収を強化してもよい。そのような場合、例えば水攻法、水蒸気圧入、ガス攻法、及びこれらの組み合わせにおいて、組成物を用いて、抽出のために堆積物中の石油を溶解することによって石油回収を強化してもよい。方法は、本発明の水性組成物を注入して、地下形成物内に残留する石油を一つ又は複数の回収ウェルへと溶解して移動させることを含む。
【００１４】
一つの側面において、本明細書に開示される実施形態は、強化されたオイル回収の方法に関する。方法は、本発明のアミド溶媒含有組成物を提供して、オイル回収溶液を提供することと；オイル回収溶液を、強化されたオイル回収を提供する圧力で土壌形成物に導入することとを含む。他の側面において、本明細書に開示される実施形態は、本発明のアミド溶媒含有組成物を提供してオイル回収溶液を提供することと；土壌形成物の穿孔を行っている場所にオイル回収溶液を導入して、ドリルに留まる堆積物を除去することとを含む、強化されたオイル回収方法に関する。
【００１５】
複数の実施形態を開示したが、本発明の更に他の実施形態は、本発明の実施形態を説示する以下の詳細な説明から、当業者にとって明らかとなる。したがって、図面及び詳細な説明は、実際は説明的なものであって、限定的でないものとみなす。
【図面の簡単な説明】
【００１６】
【図１】図１は、ｄ−リモネンを含む対照組成物と比較して、本発明の組成物を用いた食紅汚れ除去の結果を示すグラフである。
【００１７】
【図２】図２は、ｄ−リモネンを含む対照組成物と比較して、本発明の組成物を用いた黒色油性汚れ除去の結果を示すグラフである。
【発明を実施するための形態】
【００１８】
操作の例を除き、別途示さない限り、本明細書において用いる成分量又は反応条件を表す全ての数値は、全ての例において用語「約」によって修飾されているものとして理解される。
【００１９】
本明細書で用いるように、質量パーセント、質量％、重量パーセント、質量％、及びこれらと同種のものは、材料の質量を組成物の総質量で除して１００掛けた、その材料の濃度を指す同義語である。質量パーセントは、特に明記しない限り１８％活物質で報告する。
【００２０】
本明細書で用いる、本発明の組成物中の、又は本発明の方法で使用される成分の量を修飾する用語「約」は、例えば、実際に濃縮物又は使用溶液を作るために使用する、典型的な測定及び液体の処理手順を通して；これらの手順における不注意のエラーを通して；組成物を作る、又は方法を実施するために使用する原料の製造、出所、又は純度の違いなどを通して生じることがある数量の変化を意味している。用語「約」は、特定の当初の混合物から生ずる組成物について、異なる平衡条件に起因して異なる量もまた包含する。用語「約」によって修飾されるか否かを問わず、請求項は量に均等物を含む。
【００２１】
用語「アルキル」は、特定の炭素原子数を有する、直鎖又は分岐鎖の一価炭化水素基を意味する。アルキル基は、非置換であってもよく、又は組成物の特定の機能を妨げない置換基によって置換されていてもよく、同じ又は異なる基によって１つ又は２つ置換されていてもよい。置換基としては、例えば、アルコキシ、ヒドロキシ、メルカプト、アミノ、アルキル置換アミノ、ニトロ、カルボキシ、カルボニル、カルボニルオキシ、シアノ、メチルスルホニルアミノ、又はハロゲンが挙げられる。「アルキル」の例としては、限定されないが、メチル、エチル、ｎ−プロピル、イソプロピル、ｎ−ブチル、ｓ−ブチル、ｔ−ブチル、ｎ−ペンチル、ｎ−ヘキシル、３−メチルペンチル等が挙げられる。
【００２２】
用語「界面活性剤（surfactant）」又は「界面活性剤（surface active agent）」は、液体に加えると、表面におけるその液体の特性を変化させる有機化学品を意味する。
【００２３】
「洗浄」とは、汚れ除去、漂白、微生物個体群の減少、すすぎ、又はこれらの組み合わせを行う又は補助することを意味する。
【００２４】
本明細書で用いる用語「実質的に含まない」は、完全にその成分を欠くか、又は含まれるその成分が組成物の効果に影響を及ぼさないような少量である組成物を意味する。成分は不純物又は混入物として存在してもよく、０．５質量％未満である。他の実施形態において構成成分の量は０．１質量％未満、更に他の実施形態において構成成分の量は０．０１質量％未満である。
【００２５】
本明細書で用いる用語「物品」は、食事用品、及び調理用品などの品目を含む。本明細書で用いる用語「物品洗浄」は、物品を洗うこと、洗浄すること、又はすすぐことを意味する。
【００２６】
本明細書で用いる用語「硬質表面」は、シャワー、シンク、トイレ、浴槽、調理台、窓、鏡、輸送車両、床等を含む。これらの表面は、「硬質表面」に代表されるもの（例えば壁、床、差込み便器）であることができる。
【００２７】
本明細書、及び添付の特許請求の範囲において用いる、単数形（原文中）「a」、「an」、及び「the」は、別途文脈上明確に述べない限り、複数形の引用を含む点に留意されたい。したがって、例えば、「化合物（a compound）」を含む組成物、との記載は、２以上の化合物の混合物を含む。別途文脈上明確に述べない限り、用語「又は」は、「及び／又は」を含む意味で一般に使用することにも留意されたい。
【００２８】
用語「活物質」、又は「パーセント活物質」、又は「重量パーセント活物質」、又は「活物質濃度」は本明細書において相互に使用し、洗浄に関係するそれらの成分の濃度を指しており、不活性原料、例えば水又は塩を除いたパーセンテージとして表す。
【００２９】
用語「実質的に同様の洗浄性能」とは、アルキルフェノールエトキシレートを含有する洗浄ではなく、代替の洗浄製品又は代替の洗浄システムを使用して、典型的な基材上の典型的な汚れ状態を解決するときに、一般に同程度の（又は少なくとも著しく劣る程度ではない）清浄度の、若しくは一般に同じ労力がかかる（又は少なくとも著しく労力がかからない）、又はその両方である、代替の洗浄製品又は代替の洗浄システムによる成果を一般に意味する。上記のパラグラフで述べたように、この清浄度は、特定の洗浄する製品及び特定の基材によって、目に見える汚れが全体的に無いこと、又はいくらか劣る清浄度に対応してもよい。
【００３０】
アルキルアミド溶媒含有組成物
本発明は、多くのあらゆる実施形態における表面から有機物汚れを洗浄及び除去するための、洗浄組成物及び洗浄組成物の使用方法、例えば、炊事用具の予浸、硬質表面洗剤、又は石油回収に関する。
【００３１】
具体的には、洗浄組成物は、様々な表面からタンパク質、ラード、及びオイルを含む食品汚れを除去するのに効果的である。例えば、洗浄組成物は、最高約２０％のタンパク質を含む汚れを除去するのに効果的である。洗浄組成物は、粘土及びモーターオイルなどを含む油性汚れを除去すること、及びアスファルトを溶解することにも効果的である。
【００３２】
洗浄組成物は、再生可能な生物由来資源から導かれる、環境にやさしいアルキルアミド溶媒を含む。一実施形態において、本発明は、界面活性剤と、アルキルアミド溶媒と、水とを含む洗浄組成物である。組成物は、ｄ−リモネンを実質的に含まなくてもよい。
【００３３】
一つの側面において、本技術は、約０．５質量％〜約３０質量％の溶媒と；約５．０質量％〜約４０質量％の一つ又は複数の界面活性剤と；０．１質量％〜約９０質量％のキャリアとを有し、溶媒は、アルキルアミド溶媒、その誘導体、及び／又はこれらの組み合わせである、洗浄組成物を提供する。いくつかの側面において、洗浄組成物は、他の機能性添加剤、例えばキレート剤、水調整剤等を含むことができる。
【００３４】
したがって、洗浄組成物は、環境に優しい、容易に生物分解可能で再生可能な、従来の洗剤溶媒の代替物を提供する。組成物は、限定されないが、手動及び自動物品洗浄、車両洗浄、食品及び飲料、車両ケア、迅速なサービスの飲食店、石油回収、及び布地ケアを含む、様々な産業に使用することができる。具体的には、洗浄組成物は、例えば、バスルームの表面、食器洗浄設備、食品及び飲料設備、車両及びテーブルの上面を含む硬質表面洗浄用途に使用することができる。洗浄組成物は、炊事用具の予浸の実施形態に使用することもできる。
【００３５】
本発明の組成物
アルキルアミド溶媒
本発明に有用なアルキルアミドとしては、下式：
Ｒ１ＣＯ−ＮＲ２Ｒ３
を有するものが挙げられ、
Ｒ１は、Ｒ４−Ｃ９Ｈ６−、又はＲ５Ｏ２Ｃ−Ｃ６Ｈ３ｏ−であり；Ｒ４は、水素又はＣ１〜Ｃ７アルキルであり；Ｒ５は、置換又は非置換の、アルキル、アリール、アルケニル、オキシアルキレン、ポリオキシアルキレン、グリセリルエステル、又は一価若しくは二価陽イオンであり；Ｒ２及びＲ３は、それぞれ独立して、Ｈ、Ｃ１〜Ｃ６アルキル、又は−ＣＨ２ＣＨ２ＯＲ６であり、Ｒ６は、Ｈ又はＣ  Ｃ６アルキルである。好ましくは、Ｒ基は飽和している。
【００３６】
特に好ましくは、Ｃ８〜Ｃ１０ジメチルアミドである。本発明に有用なアルキルアミドの例の一つとしては、Ｓｔｅｐａｎ社、ノースフィールド、イリノイ州から商業的に入手可能な、Ｓｔｅｐｏｓｏｌアミドの製品群が挙げられ、例えば、Ｓｔｅｐｏｓｏｌ（登録商標）Ｍ８−１０（Ｎ，Ｎ−ジメチルオクタンアミド）（Ｎ，Ｎ−ジメチルカプリルアミド）、及びＮ，Ｎ−ジメチル−デカンアミド（Ｎ，Ｎ−ジメチルカプラミド））、及びＳｔｅｐｏｓｏｌ（登録商標）Ｍ１０（Ｎ，Ｎ−ジメチル−デカンアミド（Ｎ，Ｎ−ジメチルカプラミド））が挙げられる。
【００３７】
組成物は、約０．５質量％〜約３０質量％、好ましくは約１．０質量％〜約２５質量％、最も好ましくは約５．０質量％〜約２０質量％のアルキルアミド溶媒を含む。一般に、アルキルアミド溶媒は、ｄ−リモネン溶媒を質量％に基づいて１：１で置換してもよい。
【００３８】
界面活性剤
洗浄組成物は、洗浄量のアニオン性界面活性剤又はアニオン性界面活性剤の混合物を含む。アニオン性界面活性剤は、それらの濡れ性及び洗浄特性のため、洗浄組成物において望ましい。本発明に用いることができるアニオン性界面活性剤としては、洗浄産業において入手可能なあらゆるアニオン性界面活性剤が挙げられる。アニオン性界面活性剤の適切な群は、スルホネート、及びサルフェートが挙げられる。アニオン性界面活性剤の成分に提供することができる適切な界面活性剤としては、アルキルアリールスルホネート、第二級アルカンスルホネート、アルキルメチルエステルスルホネート、アルファオレフィンスルホネート、アルキルエーテルスルフェート、アルキルサルフェート、及びアルコールサルフェートが挙げられる。
【００３９】
洗浄組成物に使用することができる適切なアルキルアリールスルホネートは、６〜２４個の炭素原子を含むアルキル基を有することができ、アリール基は、ベンゼン、トルエン、及びキシレンの少なくとも一つであることができる。適切なアルキルアリールスルホネートとしては、直鎖アルキルベンゼンスルホネートが挙げられる。適切な直鎖アルキルベンゼンスルホネートとしては、中和されてスルホネートを形成する酸として提供することができる直鎖ドデシルベンジルスルホネートが挙げられる。更なる適切なアルキルアリールスルホネートとしては、キシレンスルホネート、及びクメンスルホネートが挙げられる。
【００４０】
洗浄組成物に用いることができる適切なアルカンスルホネートは、６〜２４個の炭素原子を有するアルカン基を有することができる。用いることができる適切なアルカンスルホネートとしては、第二級アルカンスルホネートが挙げられる。適切な第二級アルカンスルホネートとしては、Ｃｌａｒｉａｎｔ社からＨｏｓｔａｐｕｒ  ＳＡＳとして商業的に入手可能な、Ｃ１４〜Ｃ１７の第二級アルキルスルホン酸ナトリウムが挙げられる。
【００４１】
洗浄組成物に用いることができる適切なアルキルメチルエステルスルホネートは、６〜２４個の炭素原子を含むアルキル基を有するものが挙げられる。洗浄組成物に用いることができる適切なアルファオレフィンスルホネートとしては、６〜２４個の炭素原子を含むアルファオレフィン基を有するものが挙げられる。
【００４２】
洗浄組成物に用いることができる適切なアルキルエーテルスルフェートとしては、約１〜約１０個の反復するアルコキシ基、約１〜約５個の反復するアルコキシ基を有するものが挙げられる。一般に、アルコキシ基は、約２〜約４個の炭素原子を含む。適切なアルコキシ基は、エトキシ基である。
適切なアルキルエーテルスルフェートは、ラウリルエーテルエトキシレート硫酸ナトリウムであり、名称Ｓｔｅｏｌ  ＣＳ−４６０の下で入手可能である。
【００４３】
洗浄組成物に用いることができる適切なアルキルサルフェートとしては、６〜２４個の炭素原子を含むアルキル基を有するものが挙げられる。適切なアルキルサルフェートとしては、限定されないが、ラウリル硫酸ナトリウム、及びラウリル／ミリスチル硫酸ナトリウムが挙げられる。
【００４４】
洗浄組成物に用いることができる適切なアルコールサルフェートとしては、約６〜約２４個の炭素原子を含むアルコール基を有するものが挙げられる。
【００４５】
アニオン性界面活性剤は、アルカリ金属塩、アミン、又はこれらの混合物によって中和することができる。適切なアルカリ金属塩としては、ナトリウム、カリウム、及びマグネシウムが挙げられる。適切なアミンとしては、モノエタノールアミン、トリエタノールアミン、及びモノイソプロパノールアミンが挙げられる。塩の混合物を用いる場合、アルカリ金属塩の適切な混合物は、ナトリウム及びマグネシウムであることができ、ナトリウム対マグネシウムのモル比は、約３：１〜約１：１であることができる。
【００４６】
好ましい実施形態において、アニオン性界面活性剤は、アニオン性界面活性剤のアミン塩の形態である。
【００４７】
洗浄組成物は、濃縮物として提供される場合、水で希釈した後に所望の濡れ性及び洗浄特性を有する使用組成物を提供するのに十分な量のアニオン性界面活性剤成分を含むことができる。組成物は、約５質量％〜約４０質量％、約１０質量％〜約３５質量％、及び約１５質量％〜約３０質量％、及び同様の中間濃度のアニオン性界面活性剤を含むことができる。
【００４８】
中和剤
アニオン性界面活性剤は、アルカリ金属塩、アミン、又はこれらの混合物によって中和することができる。適切なアルカリ金属塩としては、ナトリウム、カリウム、及びマグネシウムが挙げられる。適切なアミンとしては、モノエタノールアミン、トリエタノールアミン、及びモノイソプロパノールアミンが挙げられる。塩の混合物を用いる場合、アルカリ金属塩の適切な混合物は、ナトリウム及びマグネシウムであることができ、ナトリウム対マグネシウムのモル比は、約３：１〜約１：１であることができる。存在する場合、中和剤は、アニオン性界面活性剤を中和するのに十分なあらゆる量で存在する。
典型的な量の例は、約０質量％〜約３５質量％、約０質量％〜約３０質量％、及び０質量％、約２５質量％であることができる。
【００４９】
極性キャリア
洗浄組成物は、キャリア、例えば水もまた含む。水は、脱イオン水として、又は軟化水として提供してもよいことを理解すべきである。濃縮物の一部として提供される水は、比較的硬度を含まないことができる。水を脱イオン化して、溶解した固体の一部を除去することができると考えられる。濃縮物を処方するには脱イオン水が好ましいが、しかしながら、濃縮物は脱イオン化していない水を用いて処方することができる。すなわち、濃縮物は、溶解した固体を含む水を用いて処方することができ、また、硬水として特徴づけることができる水を用いて処方することができる。本発明の液体洗浄組成物中の水の量は、好ましくは組成物全体の約０質量％〜約９９質量％であり、代替的に組成物全体の約．１質量％〜約９０質量％、代替的に約１質量％〜約８５質量％、代替的に約５質量％〜約８０質量％である。代替として、主要なキャリア、例えば水の量は、組成物の合計の割合を１００％にする割合であることができる。
【００５０】
水調製剤／キレート剤
水調製剤／キレート剤は任意であるが好ましく、金属化合物を除去すること、及び給水中の硬度成分の悪影響を低減することを補助する。例示的な水調製剤としては、キレート剤、封鎖剤、及び阻害剤が挙げられる。多価の金属カチオン若しくは化合物、例えばカルシウム、マグネシウム、鉄、マンガン、モリブデン等のカチオン若しくは化合物、又はこれらの混合物は、給水中、及び複雑な汚れの中に存在する可能性がある。そのような化合物又はカチオンは、洗浄用途の間、洗浄又はすすぎ組成物の効果を妨げる可能性がある。水調製剤は、そのような化合物又はカチオンを、汚れた表面から効果的に錯にして除去することができ、本発明における非イオン性界面活性剤及びアニオン性界面活性剤を含む活性成分との不適当な相互作用を低減又は排除することができる。有機及び無機の水調製剤は両者とも一般的であり、使用することができる。無機の水調製剤は、トリポリリン酸ナトリウム、及びその他のより高級な直鎖及び環状ポリホスフェート種のような化合物を含む。有機水調製剤としては、ポリマー水調製剤及び小分子水調製剤の両者が挙げられる。
有機小分子水調製剤は、典型的には、有機カルボキシレート化合物、又は有機ホスフェート水調製剤である。ポリマー阻害剤は、一般に、ポリアニオン組成物、例えばポリアクリル酸化合物を含む。小分子有機水調製剤としては、限定されないが、グルコン酸ナトリウム、グルコヘプトン酸ナトリウム、Ｎ−ヒドロキシエチレンジアミン三酢酸（ＨＥＤＴＡ）、エチレンジアミン四酢酸（ＥＤＴＡ）、ニトリロ三酢酸（ＮＴＡ）、ジエチレントリアミン五酢酸（ＤＴＰＡ）、エチレンジアミンテトラプロピオン酸、トリエチレンテトラミン六酢酸（ＴＴＨＡ）、並びにそれぞれのアルカリ金属塩、アンモニウム塩、及び置換アンモニウム塩、エチレンジアミン四酢酸四ナトリウム塩（ＥＤＴＡ）、ニトリロ三酢酸三ナトリウム塩（ＮＴＡ）、エタノールジグリシン二ナトリウム塩（ＥＤＧ）、ジエタノールグリシンナトリウム塩（ＤＥＧ）、及び１，３−プロピレンジアミン四酢酸（ＰＤＴＡ）、ジカルボキシメチルグルタミン酸四ナトリウム塩（ＧＬＤＡ）、メチルグリシン−Ｎ−Ｎ−二酢酸三ナトリウム塩（ＭＧＤＡ）、及びイミノジコハク酸ナトリウム塩（ＩＤＳ）が挙げられる。これらは全て公知であり商業的に入手可能である。
【００５１】
組成物は、約０．０１質量％〜約１５質量％、好ましくは約０．０５質量％〜約１０質量％、最も好ましくは約０．１質量％〜約５質量％の水調製剤／キレート剤を含む。
【００５２】
更なる界面活性剤
洗浄組成物は、更なる界面活性剤、例えば非イオン性界面活性剤、両性界面活性剤、又はカチオン性界面活性剤を含むことができる。洗浄組成物は、非イオン性界面活性剤を含んで、グリース除去特性を強化することができる。更なる界面活性剤成分としては非イオン性界面活性剤成分を挙げることができるが、しかしながら、非イオン性共界面活性剤成分は、洗剤組成物から除外することができることを理解すべきである。
【００５３】
組成物に用いることができる非イオン性界面活性剤としては、ポリアルキレンオキシド界面活性剤（ポリオキシアルキレン界面活性剤、又はポリアルキレングリコール界面活性剤とも呼ばれる）が挙げられる。適切なポリアルキレンオキシド界面活性剤としては、ポリオキシプロピレン界面活性剤、及びポリオキシエチレングリコール界面活性剤が挙げられる。この種の適切な界面活性剤は、合成有機ポリオキシプロピレン（ＰＯ）−ポリオキシエチレン（ＥＯ）ブロックコポリマーである。これらの界面活性剤としては、一つのＥＯブロックと一つのＰＯブロックを含むジブロックポリマー、中央ブロックのポリオキシプロピレン単位（ＰＯ）と、ポリオキシプロピレン単位にグラフトされたポリオキシエチレンの複数のブロックとを有するもの、又は中央のＥＯのブロックに取り付けられた複数のＰＯブロックを有するものが挙げられる。更に、この界面活性剤は、分子内に、ポリオキシエチレン又はポリオキシプロピレンのいずれかの更なるブロックを有することができる。有用な界面活性剤の適切な平均分子量の範囲は、約１，０００〜約４０，０００であることができ、エチレンオキシドの質量パーセント含有量は、約１０〜８０質量％であることができる。
【００５４】
更なる非イオン性界面活性剤としては、アルコールアルコキシレートが挙げられる。適切なアルコールアルコキシレートとしては、直鎖アルコールエトキシレート、例えば、１１個の炭素原子を有するアルキル基及び５モルのエチレンオキシドを含む界面活性剤である、Ｔｏｍａｄｏｌ（商標）１−５が挙げられる。更なるアルコールアルコキシレートとしては、アルキルフェノールエトキシレート、分岐鎖アルコールエトキシレート、第二級アルコールエトキシレート（例えば、Ｄｏｗ  Ｃｈｅｍｉｃａｌ社からのＴｅｒｇｉｔｏｌ  １５−Ｓ−７）、ヒマシ油エトキシレート、アルキルアミンエトキシレート、タローアミンエトキシレート、脂肪酸エトキシレート、ソルビタンオレートエトキシレート、末端キャップされたエトキシレート、又はこれらの混合物が挙げられる。更なる非イオン性界面活性剤としては、アミド、例えば脂肪アルカノールアミド、アルキルジエタノールアミド、ココナッツジエタノールアミド、ラウラミドジエタノールアミド、ココアミドジエタノールアミド、ポリエチレングリコールココアミド（例えば、ＰＥＧ−６ココアミド）、オレイン酸ジエタノールアミド、又はこれらの混合物が挙げられる。更なる適切な非イオン性界面活性剤としては、ポリアルコキシル化脂肪塩基、ポリアルコキシル化アミド、グリコールエステル、グリセロールエステル、アミンオキシド、リン酸エステル、アルコールホスフェート、脂肪トリグリセリド、脂肪トリグリセリドエステル、アルキルエーテルホスフェート、アルキルエステル、アルキルフェノールエトキシレートリン酸エステル、アルキル多糖類、ブロックコポリマー、アルキルポリグルコシド、又はこれらの混合物が挙げられる。
【００５５】
洗剤組成物濃縮物が非イオン性界面活性剤を含む場合、これらは少なくとも約０．１質量％の量で含まれることができ、最高約１５質量％の量で含まれることができる。濃縮物は、非イオン性界面活性剤を約０．１〜１．０質量％、約０．５質量％〜約１２質量％、又は約２質量％〜約１０質量％含むことができる。
【００５６】
両性界面活性剤を用いて、所望の洗浄特性を提供することもできる。用いることができる適切な両性界面活性剤としては、限定されないが、ベタイン、イミダゾリン、及びプロピオネートが挙げられる。適切な両性界面活性剤としては、限定されないが、スルテイン、アンホプロピオネート、アンホジプロピオネート、アミノプロピオネート、アミノジプロピオネート、アンホアセテート、アンホジアセテート、及びアンホヒドロキシプロピルスルホネートが挙げられる。
【００５７】
洗剤組成物が両性界面活性剤を含む場合、両性界面活性剤は、約０．１質量％〜約１５質量％の量で含まれることができる。濃縮物は、両性界面活性剤を約０．１質量％〜約１．０質量％、０．５質量％〜約１２質量％、又は約２質量％〜約１０質量％含むことができる。
【００５８】
洗浄組成物は、洗浄量のカチオン性界面活性剤又はカチオン性界面活性剤の混合物を含むカチオン性界面活性剤成分を含むことができる。カチオン性界面活性剤を用いて、浄化特性を提供することができる。
【００５９】
洗浄組成物中に用いることができるカチオン性界面活性剤としては、限定されないが：アミン、例えばＣ１８アルキル又はアルケニル鎖を有する第一級、第二級、及び第三級モノアミン、エトキシルアルキルアミン、エチレンジアミンのアルコキシレート、イミダゾール、例えば１−（２−ヒドロキシエチル）−２−イミダゾリン、２−アルキル−１−（２−ヒドロキシエチル）−２−イミダゾリン等；並びに第四級アンモニウム塩、例えばアルキル第四級塩化アンモニウム界面活性剤、例えばｎ−アルキル（Ｃ１２〜Ｃ１８）ジメチルベンジルアンモニウムクロリド、ｎ−テトラデシルジメチルベンジルアンモニウムクロリド一水和物、及びナフチレン置換第四級塩化アンモニウム、例えばジメチル−１−ナフチルメチルアンモニウムクロリドが挙げられる。洗剤組成物がカチオン性界面活性剤を含む場合、カチオン性界面活性剤は、約０．１質量％〜約１５質量％の量で含まれることができる。濃縮物は、カチオン性界面活性剤を約０．１質量％〜約１．０質量％、０．５質量％〜約１２質量％、又は約２質量％〜約１０質量％含むことができる。
【００６０】
更なる溶媒
組成物は、アルキルアミド溶媒に加えて、共溶媒又は更なる溶媒を含んで、汚れ除去特性を更に強化してもよい。そのような更なる溶媒を用いて、最終組成物の粘度を調整してもよい。組成物の意図する最終用途によって、洗浄組成物が更なる溶媒又は共溶媒を含むか否かを決定してもよい。溶媒を含むことで本発明の組成物の汚れ除去、取り扱い性、又は使いやすさを向上してもよく、又は含まなくてもよい。疎水性の汚れを除去するのに有用な適切な溶媒としては、限定されないが、酸素化溶媒、例えば低級アルカノール、低級アルキルエーテル、グリコール、アリールグリコールエーテル、及び低級アルキルグリコールエーテルが挙げられる。他の溶媒の例としては、限定されないが、メタノール、エタノール、プロパノール、イソプロパノール、及びブタノール、イソブタノール、エチレングリコール、ジエチレングリコール、トリエチレングリコール、プロピレングリコール、ジプロピレングリコール、混合エチレン−プロピレングリコールエーテル、エチレングリコールフェニルエーテル、及びプロピレングリコールフェニルエーテルが挙げられる。実質的に水溶性のグリコールエーテル溶媒としては、限定されないが、プロピレングリコールメチルエーテル、プロピレングリコールプロピルエーテル、ジプロピレングリコールメチルエーテル、トリプロピレングリコールメチルエーテル、エチレングリコールブチルエーテル、ジエチレングリコールメチルエーテル、ジエチレングリコールブチルエーテル、エチレングリコールジメチルエーテル、エチレングリコールプロピルエーテル、ジエチレングリコールエチルエーテル、トリエチレングリコールメチルエーテル、トリエチレングリコールエチルエーテル、トリエチレングリコールブチルエーテル等が挙げられる。好ましい実施形態において、組成物は、実質的にｄ−リモネンを含まない。更なる溶媒が存在する場合、組成物は、約０質量％〜約４０質量％、好ましくは約０質量％〜約３５質量％、及びより好ましくは約０質量％、約３０質量％、及び同様の中間濃度の溶媒を含むことができる。好ましい実施形態において、組成物はグリコールエーテルの共溶媒を含む。
【００６１】
一実施形態において、本発明の洗浄組成物は、ｄ−リモネン又はあらゆる再生不可能な溶媒を実質的に含まず、洗剤組成物をより環境的に許容にしている。ｄ−リモネン非含有（d-limonene-free）とは、ｄ−リモネンが加えられていない組成物、混合物、又は成分を意味する。ｄ−リモネンが混入によって存在する場合、得られる組成物のｄ−リモネンの濃度は、約０．５質量％より少なく、約０．１質量％より少なく、多くの場合約０．０１質量％より少ない。
【００６２】
更なる機能性材料
洗浄組成物は、更なる成分又は剤、例えば更なる機能性材料を含むことができる。機能性材料は、洗浄組成物に所望の特性及び機能性を提供する。本出願において、用語「機能性材料」は、使用溶液又は濃縮溶液、例えば水溶液中に分散又は溶解した際に、特定の使用において有益な特性を提供する材料を含む。アルキルアミド溶媒を含む洗浄準備は、例えば、引用により本明細書中に取り入れられる、米国特許第７，３４１，９８３号明細書に記載されているように、他の汚れ消化成分、共界面活性剤、消毒剤、殺菌剤、酸味料、錯化剤、腐食防止剤、発泡防止剤、染料、増粘剤又はゲル化剤、及び香料を任意に含んでもよい。機能性材料のいくつかの特定の例を以下更に詳細に記載するが、しかしながら、当業者等であれば、記載される特定の材料は単に例として与えられ、広いさまざまな他の機能性材料を使用してもよいことが理解されよう。例えば、以下に記載する機能性材料の多くは洗浄及び／又は脱染用途に使用する材料に関するが、他の実施形態は、他の用途に使用するための機能性材料を含んでもよいことを理解すべきである。
【００６３】
増粘剤
洗浄組成物の粘度は増粘剤の量とともに増加し、粘性組成物は、洗浄組成物が表面にくっつく用途に有用である。適切な増粘剤としては、処理される表面上に混入残留物を残さないものが挙げられる。一般に、本発明に使用してもよい増粘剤としては、天然ゴム、例えば植物粘液からのキサンタンゴム、グアーゴム、変性グアー、又は他のゴム；多糖類ベースの増粘剤、例えばアルギナート、澱粉、及びセルロースポリマー（例えば、カルボキシメチルセルロース、ヒドロキシエチルセルロース等）；ポリアクリレート増粘剤；並びに親水コロイド増粘剤、例えばペクチンが挙げられる。一般に、本組成物又は方法に使用される増粘剤の濃度は、最終組成物における所望の粘度によって決まる。しかしながら、一般的な指針として、本組成物中の増粘剤の粘度は、約０．１質量％〜約３質量％、約０．１質量％〜約２質量％、又は約０．１質量％〜約０．５質量％である。
【００６４】
漂白剤
洗浄組成物は、基材を明るく又は白くするための漂白剤を含んでもよい。適切な漂白剤の例としては、洗浄工程の間に典型的に遭遇する条件下で活性ハロゲン種、例えばＣｌ２、Ｂｒ２、ＯＣｌ−、及び／又は−ＯＢｒ−を放出することができる漂白化合物が挙げられる。本洗浄組成物に使用するための適切な漂白剤としては、例えば、塩素含有化合物、例えば塩素、次亜塩素酸塩、及びクロラミンが挙げられる。ハロゲン放出化合物の例としては、アルカリ金属ジクロロイソシアヌレート、塩素化リン酸三ナトリウム、アルカリ金属次亜塩素酸塩、モノクロラミン、及びジクロラミン等が挙げられる。封入された塩素源を用いて、組成物中の塩素源の安定性を強化してもよい（例えば、米国特許第４，６１８，９１４号明細書、及び米国特許第４，８３０，７７３号明細書を参照されたく、これらの開示はあらゆる目的のために本願明細書中に引用により取り込まれる）。漂白剤は、過酸素源又は活性酸素源であってもよく、例えば、テトラアセチルエチレンジアミンなどの活性化剤を含む及び含まない、過酸化水素、パーボレート、炭酸ナトリウム過酸化水素化物、リン酸過酸化水素化物（phosphate peroxyhydrates）、モノ過硫酸カリウム、過ホウ酸ナトリウム一水和物及び四水和物等が挙げられる。組成物は、有効量の漂白剤を含むことができる。濃縮物が漂白剤を含む場合、約０．１質量％〜約６０重量％、約１質量％〜約２０質量％、約３質量％〜約８質量％、及び約３質量％〜約６質量％の量で含むことができる。
【００６５】
洗浄剤フィラー
洗浄組成物は、それ自体は洗浄剤として機能しないが洗浄剤と協働して組成物の全体の洗浄能力を強化する有効量の洗浄剤フィラーを含むことができる。本洗浄組成物における使用に適する洗浄剤フィラーの例としては、硫酸ナトリウム、塩化ナトリウム、澱粉、糖、Ｃ１〜Ｃ１０アルキレングリコール、例えばプロピレングリコール等が挙げられる。濃縮物が洗浄剤フィラーを含む場合、約１質量％〜約２０質量％、及び約３質量％〜約１５質量％の量で含むことができる。
【００６６】
消泡剤
洗浄組成物は、消泡剤を含んで、泡の安定性を低減して起泡を低減することができる。濃縮物が消泡剤を含む場合、消泡剤は約０．０１質量％〜約３質量％の量で提供することができる。
【００６７】
組成物に使用することができる消泡剤の例としては、エチレンオキシド／プロピレンオキシドブロックコポリマー、例えば名称Ｐｌｕｒｏｎｉｃ  Ｎ３の下で入手可能なもの、シリコーン化合物、例えばポリジメチルシロキサン中に分散したシリカ、ポリジメチルシロキサン、及び官能化ポリジメチルシロキサン、例えば名称Ａｂｉｌ  Ｂ９９５２の下で入手可能なもの、脂肪アミド、炭化水素ワックス、脂肪酸、脂肪族エステル、脂肪族アルコール、脂肪酸石鹸、エトキシレート、鉱油、ポリエチレングリコールエステル、アルキルリン酸エステル、例えばリン酸モノステアリル等が挙げられる。消泡剤に関する議論は、例えば、Ｍａｒｔｉｎらに対する米国特許第３，０４８，５４８号明細書、Ｂｒｕｎｅｌｌｅらに対する米国特許第３，３３４，１４７号明細書、及びＲｕｅらに対する米国特許第３，４４２，２４２号明細書に見られ、これらの開示はあらゆる目的のために本願明細書中に引用により取り込まれる。
【００６８】
《抗再析剤》
洗浄組成物は、洗浄溶液中の汚れの懸濁の維持を促進し、除去された汚れが洗浄中の基材上へと再堆積することを防止するため、抗再析剤を含むことができる。適切な抗再析剤の例としては、脂肪酸アミド、フルオロカーボン界面活性剤、錯リン酸エステル、スチレン無水マレイン酸コポリマー、及びセルロース誘導体、例えば、ヒドロキシエチルセルロース、ヒドロキシプロピルセルロースなどが挙げられる。濃縮物が抗再析剤を含む場合、抗再析剤は、約０．５質量％〜約１０質量％、及び約１質量％〜約５質量％の量で含まれることができる。
【００６９】
安定剤
洗浄組成物中に用いることができる安定剤としては、限定されないが、第一級脂肪族アミン、ベタイン、ボレート、カルシウムイオン、クエン酸ナトリウム、クエン酸、ギ酸ナトリウム、グリセリン、マロン酸、有機二塩基酸、ポリオール、プロピレングリコール、及びこれらの混合物が挙げられる。濃縮物は安定剤を含む必要はないが、濃縮物が安定剤を含む場合、濃縮物の所望のレベルの安定性を提供する量で含むことができる。安定剤の例示的な範囲としては、最高約２０質量％、約０．５質量％〜約１５質量％、及び約２質量％〜約１０質量％が挙げられる。
【００７０】
分散剤
洗浄組成物に用いることができる分散剤としては、マレイン酸／オレフィンコポリマー、ポリアクリル酸、及びそのコポリマー、並びにこれらの混合物が挙げられる。濃縮物は分散剤を含む必要はないが、分散剤を含む場合、所望の分散剤の特性を提供する量で含むことができる。濃縮物中の分散剤の例示的な範囲は、最高約２０質量％、約０．５質量％〜約１５質量％、及び約２質量％〜約９質量％であることができる。
【００７１】
ヒドロトロープ
本発明の組成物は、組成の安定性及び水性の処方を補助するヒドロトロープを任意に含んでもよい。機能的にいえば、使用することができる適切なヒドロトロープカップリング剤（hydrotrope coupler）は、濃縮物又はあらゆる使用溶液が曝される温度及び濃度範囲の全体にわたって、非毒性であり、水性溶液中に活性成分を保持する。
【００７２】
組成物の他の成分と反応しないか、又は組成物の性能特性に悪影響を及ぼさない限りにおいて、あらゆるヒドロトロープカップリング剤を用いてもよい。使用することができるヒドロトロープカップリング剤又は可溶化剤の代表的な種類としては、アニオン性界面活性剤、例えばアルキルサルフェート、及びアルカンスルホネート、直鎖アルキルベンゼン又はナフタレンスルホネート、第二級アルカンスルホネート、アルキルエーテルスルフェート又はスルホネート、アルキルホスフェート又はホスホネート、ジアルキルスルホコハク酸エステル、糖エステル（例えば、ソルビタンエステル）、アミンオキシド（モノ−、ジ−、又はトリ−アルキル）、及びＣ８〜Ｃ１０アルキルグルコシドが挙げられる。本発明に用いられる好ましいカップリング剤としては、Ｅｃｏｌａｂ社からＮＡＳ  ８Ｄとして入手できるｎ−オクタンスルホネート、ｎ−オクチルジメチルアミンオキシド、及び一般に入手可能な芳香族スルホネート、例えばアルキルベンゼンスルホネート（例えばキシレンスルホネート）若しくはナフタレンスルホネート、アリール若しくはアルカリルリン酸エステル、又は１〜約４０個のエチレン、プロピレン、若しくはブチレンオキシド単位、若しくはその組合せを有するこれらのアルコキシル化類縁体が挙げられる。他の好ましいヒドロトロープとしては、１〜約１５個のアルキレンオキシド基（好ましくは約４〜約１０個のアルキレンオキシド基）を有する、Ｃ６〜Ｃ２４アルコールアルコキシレート（アルコキシレートとは、エトキシレート、プロポキシレート、ブトキシラート、及びこれらのコ−又はターポリマー混合物を意味する。）（好ましくはＣ６〜Ｃ１４アルコールアルコキシレート）の非イオン性界面活性剤；１〜約１５個のアルキレンオキシド基（好ましくは約４〜約１０個のアルキレンオキシド基）を有する、Ｃ６〜Ｃ２４アルキルフェノールアルコキシレート（好ましくはＣ８〜Ｃ１０アルキルフェノールアルコキシレート）；１〜約１５個のグリコシド基（好ましくは約４〜約１０個のグリコシド基）を有する、Ｃ６〜Ｃ２４アルキルポリグリコシド（好ましくはＣ６〜Ｃ２０アルキルポリグリコシド）；Ｃ６〜Ｃ２４脂肪酸エステルエトキシレート、プロポキシレート、又はグリセリド；及びＣ４〜Ｃ１２のモノ又はジアルカノールアミドが挙げられる。好ましいヒドロトロープとしては、キシレンスルホン酸ナトリウム（ＳＸＳ）である。
【００７３】
任意のヒドロトロープは、組成物に約０〜約２５質量パーセントで存在することができる。
【００７４】
染料及び香料
洗浄組成物は、様々な染料、臭気物質、例えば香料、及び他の美的強化剤を含んでもよい。染料を含んで組成物の外見を変えてもよく、例えば、あらゆる種類のＦＤ＆Ｃ染料、Ｄ＆Ｃ染料等である。更なる適切な染料としては、例えば、Direct Blue 86（Miles社）、Fastusol Blue（Mobay Chemical社）、Acid Orange 7（American Cyanamid社）、Basic Violet 10（Sandoz社）、Acid Yellow 23（GAF社）、Acid Yellow 17（Sigma Chemical社）、Sap Green（Keystone Analine and Chemical社）、Metanil Yellow（Keystone Analine and Chemical社）、Acid Blue 9（Hillton Davis社）、Sandolan Blue / Acid Blue 182（Sandoz社）、Hisol Fast Red（Capitol Color and Chemical社）、Fluorescein（Capitol Color and Chemical社）、Acid Green 25（BASF社）、Pylakor Acid Bright Red （Pylam社）等が挙げられる。
【００７５】
組成物中に含まれてもよい芳香剤又は香料としては、例えば、テルペノイド、例えばシトロネロール、アルデヒド、例えば、アミルシンナムアルデヒド、ジャスミン、例えばＣ１Ｓ−ジャスミン、又はジャスマル、バニリン等が挙げられる。
【００７６】
補助剤
本組成物は、あらゆる補助剤を含むこともできる。具体的には、組成物は、組成物に添加することができるあらゆる他の成分の中でも、安定剤、湿潤剤、増粘剤、発泡剤、腐食防止剤、殺生物剤、過酸化水素、色素又は染料を含むことができる。そのような補助剤は、本組成物とともに予め処方することができ、又は系に同時に添加することができ、又は本組成物を添加した後であってもよい。組成物は、公知であり本組成物の活性を促進することができる、用途によって必要とされるあらゆる他の成分を含むこともできる。
【００７７】
本組成物の実施形態
本発明の洗浄組成物は、タンパク質、ラード、及びオイルを含む汚れを除去することに効果的である。一実施形態において、洗浄組成物は、最高約２０％のタンパク質を含む汚れを除去するのに効果的である。いくつかの適切な例示的な液体濃縮組成物を下表に提供する。一般に、全ての処方において、ｄ−リモネンはアルキルアミドと活性成分レベルで１：１で置換される。
【００７８】
【表１】
0006680700.tif 000002
【００７９】
本発明の濃縮組成物は、固体、液体、若しくはゲル、又はこれらの組み合わせとして提供することができる。一実施形態において、洗浄組成物があらゆる付加的な水を実質的に含まないか、又は濃縮物が公称量の水を含むことがあるように、洗浄組成物は濃縮物として提供してもよい。濃縮物は、濃縮物の輸送費用を低減するために、いかなる水も含まず処方することができ、又は比較的少量の水とともに提供することができる。例えば、組成物の濃縮物は、水溶性材料に収容された又はされていない、圧縮粉末、固体、又はゆるい粉末のカプセル又はペレットとして提供することができる。材料に組成物のカプセル又はペレットを提供する場合、カプセル又はペレットを水の塊の中に導入することができ、存在する場合、水溶性材料が可溶化、分解、又は分散して、組成物の濃縮物が水と接触することを可能にすることができる。本明細書において用語「カプセル」及び「ペレット」は例示目的で用いるものであり、本発明の配送型式を特定の形状に制限することを意図するものではない。
【００８０】
液体濃縮組成物として提供する場合、濃縮物は、アスピレータ、蠕動ポンプ、ギアポンプ、質量流量計等を用いた分配設備をとおして希釈することができる。この液体濃縮物の実施形態は、ボトル、ジャー、投与用ボトル、投与用キャップを有するボトル等に供給することもできる。予め測定された量の水が充填されたスプレーボトル又は他の配送装置内に置かれる、マルチチャンバーカートリッジインサート内に、液体濃縮組成物を充填することができる。
【００８１】
更に他の実施形態において、濃縮組成物は、容器内に置かれるまで崩壊又は他の分解に耐える固体形態で提供することができる。そのような容器は、容器内に組成物の濃縮物を置く前に水が充填されていてもよく、又は組成物の濃縮物を容器内に置いた後に水を充填してもよい。いずれにせよ、固体濃縮組成物は水と接触すると溶解、可溶化、又はそうでなくとも分解する。特定の実施例では、固体濃縮組成物は素早く溶解して、これによって濃縮組成物が使用組成物になることを可能にし、洗浄を必要とする表面へとエンドユーザが使用組成物を適用することを更に可能にする。洗浄組成物が固体として提供される場合、上記の組成物は、本技術分野において知られるあらゆる手段によって洗浄組成物を凝固させるように変更してもよい。例えば、水量を低減してもよく、又は更なる成分、例えば固化剤を洗浄組成物に添加してもよい。
【００８２】
他の実施形態において、固体濃縮組成物は、固体ブロックに水を吹き付けて使用溶液を形成する分配設備をとおして希釈することができる。水流は、機械的、電気的、又は油圧式制御等を使用して比較的一定の速度で供給する。固体濃縮組成物は、水が固体ブロック周辺に流れ、固体濃縮物の溶解物として使用溶液を生ずる分配設備をとおして希釈することもできる。固体濃縮組成物は、ペレット、錠剤、粉末、及びペーストディスペンサー等で希釈することもできる。
【００８３】
濃縮物を希釈するために用いる水（希釈水）は、希釈する現地又は場所で入手できる可能性がある。希釈水は、場所によって様々なレベルの硬度を有することがある。様々な自治体から入手可能な給水は、様々なレベルの硬度を有する。様々な自治体の給水に見られる硬度レベルを取り扱うことができる濃縮物を提供することが望ましい。濃縮物を希釈するために用いる希釈水は、１グレイン以上の硬度を有する場合、硬水として特徴づけることができる。希釈水は、少なくとも５グレイン硬度、少なくとも１０グレイン硬度、又は少なくとも２０グレイン硬度を有することができると考えられる。
【００８４】
所望のレベルの洗浄特性を有する使用溶液を提供するために、濃縮物を希釈水で希釈することが考えられる。使用溶液が堅い又はひどい汚れを除去することが必要な場合、濃縮物は、希釈水で少なくとも１：１〜最高１：８の重量比で希釈することができると考えられる。軽微な洗浄用の使用溶液が所望される場合、濃縮物は、最高約１：２５６の濃縮物対希釈水の重量比で希釈することができると考えられる。
【００８５】
代替の実施形態において、洗浄組成物は、即使用可能な（ＲＴＵ）組成物として提供してもよい。洗浄組成物をＲＴＵ組成物として提供する場合、希釈剤として有意な量の水が洗浄組成物に加えられる。濃縮物を液体として提供する場合、ポンピング又は吸い出すことができるように、流動可能な形態で提供することが望ましいことがある。少量の液体を正確にポンピングすることは、一般に困難であることが分かった。一般に、より多い量の液体をポンピングすることがより効果的である。したがって、輸送コストを低減するためには、できるだけ少ない水を含む濃縮物を提供することが望ましいが、しかしながら、正確に分配することができる濃縮物を提供することもまた望ましい。液体濃縮物の場合、水は、最高約９０質量％、詳細には約２０質量％〜約８５質量％、より詳細には約３０質量％〜約８０質量％、及び最も詳細には約５０質量％〜約８０質量％の量で存在すると考えられる。
【００８６】
ＲＴＵ組成物の場合、上記に開示した洗浄組成物は、所望により、洗浄組成物の質量に基づいて最高約９６質量％の水で更に希釈してもよいことに留意する必要がある。
【００８７】
本発明の組成物は、様々な表面を洗浄するのに有用であることがある。本発明の組成物は、硬質表面、例えば限定されないが、セラミックス、セラミックタイル、グラウト、花崗岩、コンクリート、鏡、エナメル表面、金属、例えばアルミニウム、真鍮、ステンレス鋼等の上の汚れを洗浄するのに用いてもよい。本発明の組成物を用いて、汚れたリネン、例えばタオル、シート、及び不織布ウェブを洗浄してもよい。このように、本発明の組成物は、自動であるか又は手動であるかを問わず、硬質表面洗剤、洗濯洗剤、オーブン洗剤、ハンドソープ、自動車洗剤、及び物品洗浄用洗剤を処方するのに有用である。
【実施例】
【００８８】
本発明の範囲内における多数の変更及び変形は当業者にとって明らかであるため、単に説明を意図した以下の例において本発明をより詳細に記載する。特に明記しない限り、以下の例で報告する全ての割合、パーセンテージ、及び比率は質量に基づくものであり、例に使用した全ての試剤は以下に記載する化学品供給者から得られ、入手可能であり、又は従来技術によって合成してもよい。
【００８９】
使用した材料
・Ｓｔｅｐｏｓｏｌ  Ｍ−８−１０分散型アミド：Ｓｔｅｐａｎ社、ノースフィールド、イリノイ６００９３から商業的に入手可能な、Ｎ，Ｎ−ジメチルオクタンアミド（Ｎ，Ｎ−ジメチルカプリルアミド）、及びＮ，Ｎ−ジメチルデカンアミド（Ｎ，Ｎ−ジメチルカプラミド）。
・Ｓｔｅｐｏｓｏｌ  Ｍ−１０  Ｓｔｅｐａｎ社、ノースフィールド、イリノイ６００９３から商業的に入手可能な、Ｎ，Ｎ−ジメチルデカンアミド（Ｎ，Ｎ−ジメチルカプラミド）。
【００９０】
食紅汚れ除去試験
ラード、オイル、タンパク質、及び酸化鉄（ＩＩＩ）（着色のため）からなる食紅汚れを調製した。約３０グラムのラードを、約３０グラムのコーンオイル、約１５グラムの全卵粉末、及び約１．５グラムのＦｅ２Ｏ３と組み合わせた。汚れの蛋白質含有量は２０％であった。
【００９１】
３インチ×３インチの複数の白いビニルタイルの背面、溝のある側面を、３インチフォームブラシを使用して、約０．７５グラムの食紅汚れで汚した。タイルを終夜室温で乾燥させた。この保温期間は、汚れ内のトリグリセリド及びタンパク質を共に保持する結合が結晶化し、連結し始めることを可能にすると考えられる。その翌日、タイルを、約２００グラムの試験組成物を含む浸漬トレイに約１分間置いた。
【００９２】
合成スポンジを有するガードナーストレートライン装置を使用して、汚れ除去試験を行った。合成スポンジを水で予め湿らせ、過剰な水をしぼり出し、次に約５０グラムの試験組成物で飽和させた。タイルの目をスポンジの移動方向に対して平行にして、タイルをガードナーストレートライン装置内に置いた。タイルを、湿った合成スポンジで、約２ポンドの圧力で、４サイクル毎にタイルを９０度回転させて１６サイクル、タイルを完全に３６０度回転させて、こすった。次にタイルを都市水ですすぎ、室温で終夜乾燥させた。汚れたタイル、洗浄したタイルのＨｕｎｔｅｒ  Ｌａｂ  Ｌ＊反射率を測定した。汚れたタイルのＬ＊反射率の値は、下式：
【数１】
0006680700.tif 000003
で表され、３．３８、９２．１、及び２４．７４は定数である。洗浄したタイルのＬ＊反射率の値は、下式：
【数２】
0006680700.tif 000004
で表される。パーセント汚れ除去は：
【数３】
0006680700.tif 000005
として算出される。
【００９３】
ｄ−リモネンを含む対照処方に基づいて組成物を評価した。組成物が全ての濃度で食紅汚れの許容量を除去した場合、次に組成物を評価して、それらが商業的に公知の洗剤にとって実質的に同様に機能し、適切な代替物として機能することができるかどうか決定した。低濃度及び高濃度において除去された食紅汚れの量が約１０％以内であり、中間濃度において約１５％以内である場合、２つの組成物は実質的に同様にふるまうものとみなした。
【００９４】
黒色油性汚れ除去試験
約５０グラムのミネラルスピリット、約５グラムの鉱油、約５グラムのモーターオイル、約２．５グラムのオイルダグ、及び約３７．５グラムのバンディブラッククレイ（bandy black clay）を含む黒色油性汚れを調製した。
【００９５】
３インチ×３インチの複数の白いビニルタイルの背面、溝のある側面を、３インチフォームブラシを使用して、約０．７５グラムの黒色油性試験汚れで汚した。タイルを終夜室温で乾燥させた。その翌日、タイルを、約２００グラムの洗浄組成物を含む浸漬トレイに約２分間置いた。合成スポンジを有するガードナーストレートライン装置を使用して、汚れ除去試験を行った。スポンジを水で予め湿らせ、過剰な水をしぼり出し、次に約５０グラムの試験組成物で飽和させた。
【００９６】
タイルの目をスポンジの移動方向に対して平行にして、タイルをガードナーストレートライン装置内に置いた。タイルを、湿った合成スポンジで、約２ポンドの圧力で、タイルを１０サイクル毎に９０度回転させて４０サイクル、タイルを完全に３６０度回転させて、こすった。次にタイルを都市水ですすぎ、室温で終夜乾燥させた。汚れたタイル、洗浄したタイルのＨｕｎｔｅｒ  Ｌａｂ  Ｌ＊反射率を測定した。汚れたタイルのＬ＊反射率の値は、下式：
【数４】
0006680700.tif 000006
９．０３、９２．１、及び２５．９８は定数である。洗浄したタイルのＬ＊反射率の値は、下式：
【数５】
0006680700.tif 000007
で表される。パーセント汚れ除去は：
【数６】
0006680700.tif 000008
で算出される。
【００９７】
ｄ−リモネンを含む対照処方に基づいて組成物を評価した。
【００９８】
例１
本発明の組成物及び比較の組成物の、上記の方法にしたがって表面から食紅汚れを除去する能力を試験するために、１ガロン当たり４、８、及び１６オンスの濃度で様々な組成物を処方した。
【００９９】
例１は、ｄ−リモネンを含む商業的に入手可能な脱脂剤組成物（対照Ａ）と比較して、ｄ−リモネンをＳｔｅｐｏｓｏｌ  Ｍ８−１０（本発明の代表的組成物１）、又はＳｔｅｐｏｓｏｌ  Ｍ−１０（本発明の代表的組成物２）で１：１で置換した同様の脱脂剤組成物を含む。
【０１００】
【表２】
0006680700.tif 000009
【０１０１】
例は、ｄ−リモネンをアルキルアミドで置換した組成物が、対照組成物よりも良好に洗浄したことを示す。結果を図１に視覚的に示す。
【０１０２】
例２
黒色油性汚れ試験結果
例１と同様の処方を黒色汚れで試験した。結果を下表Ｂ及び図２に視覚的に示す。
【０１０３】
【表３】
0006680700.tif 000010
【０１０４】
アルキルアミド溶媒含有組成物は、ほとんどの希釈物において、黒色汚れに対してｄ−リモネンと少なくとも同程度に良好に機能した。
【０１０５】
例３
アスファルト溶解性試験
バイアルの底に０．２５ｇｍのアスファルトカットバック（Gardner 0121 Foundation and Roof Coating）を置いた。最低でも３日間乾燥させた。
【０１０６】
バイアル内に５ｇｍの溶媒を入れた。撹拌した。観察した。
【０１０７】
強溶媒は全残渣を溶解した。液体は黒色になった。
【０１０８】
中強度の溶媒は、残渣の一部を溶解し、液体は暗褐色に変わった。弱溶媒は、いかなる存在するアスファルトも溶解せず、色が変わらなかった。
【０１０９】
下表Ｃは、様々な溶媒、及び上記の試験ごとアスファルトを溶解するそれらの能力の表である。
【０１１０】
【表４】
0006680700.tif 000011
【０１１１】
上述した例示的な実施形態に対して、本発明の要旨を逸脱しない範囲内で、様々な変更及び付加をすることができる。例えば、上記の実施形態は特定の構成に関するが、しかしながら、本発明の範囲は、構成の異なる組合せを有する実施形態、及び記載の構成の全てを含むわけではない実施形態もまた包含する。したがって、本発明の範囲は、全てのそのような代替、変更、及び変形を。それらの全ての均等物と共に、特許請求の範囲に含まれるものとして包含することを意図する。以下、本発明の実施形態の例を列記する。
［１］
（ａ）Ｃ８及び／又はＣ１０ジメチルアルキルアミド溶媒と；
（ｂ）アニオン性界面活性剤と；
（ｃ）共溶媒と；
（ｄ）水と
を含む、洗浄組成物であって、
前記組成物はｄ−リモネンを本質的に含まない、洗浄組成物。
［２］
アルキル溶媒が、メタノール、エタノール、プロパノール、イソプロパノール、ブタノール、イソブタノール、エチレングリコール、ジエチレングリコール、トリエチレングリコール、プロピレングリコール、ジプロピレングリコール、混合エチレン−プロピレングリコールエーテル、エチレングリコールフェニルエーテル、プロピレングリコールメチルエーテル、プロピレングリコールプロピルエーテル、ジプロピレングリコールメチルエーテル、トリプロピレングリコールメチルエーテル、エチレングリコールブチルエーテル、ジエチレングリコールメチルエーテル、ジエチレングリコールブチルエーテル、エチレングリコールジメチルエーテル、エチレングリコールプロピルエーテル、ジエチレングリコールエチルエーテル、トリエチレングリコールメチルエーテル、トリエチレングリコールエチルエーテル、及びトリエチレングリコールブチルエーテルからなる群から選択される、項目１に記載の洗浄組成物。
［３］
前記共溶媒がグリコールエーテルである、項目１に記載の組成物。
［４］
前記Ｃ８及び／又はＣ１０ジメチルアルキルアミドは飽和している、項目１に記載の洗浄組成物。
［５］
前記アニオン性界面活性剤が塩である、項目１に記載の洗浄組成物。
［６］
前記塩がアミド塩である、項目５に記載のアニオン性界面活性剤塩。
［７］
前記Ｃ８及び／又はＣ１０ジメチルアルキルアミド溶媒が、前記洗浄組成物の約０．５質量％〜約３０質量％を構成する、項目１に記載の洗浄組成物。
［８］
前記アニオン性界面活性剤が、前記洗浄組成物の約５質量％〜約４０質量％を構成する、項目１に記載の洗浄組成物。
［９］
前記洗浄組成物の約０．０１質量％〜約１５質量％を構成するキレート剤を更に含む、項目１に記載の洗浄組成物。
［１０］
前記洗浄組成物が、炊事用具予浸組成物、硬質表面洗剤、又はアスファルト溶解組成物である、項目１に記載の洗浄組成物。
［１１］
（ａ）飽和ジメチルアミド溶媒と；
（ｂ）アニオン性界面活性剤アミド塩と；
（ｃ）共溶媒と；
（ｄ）水と
を含む、アスファルト溶解／硬質表面洗浄／炊事用具予浸組成物であって、
前記組成物に含まれるｄ−リモネンは０．０５質量％未満である、組成物。
［１２］
前記アルキルアミド溶媒が、飽和Ｃ８及び／又はＣ１０ジメチルアルキルアミドである、項目１１に記載の洗浄組成物。
［１３］
前記組成物に含まれるｄ−リモネンが０．０１質量％未満である、項目１１に記載の組成物。
［１４］
前記ジメチルアミド溶媒が、前記洗浄組成物の約１．０質量％〜約２５質量％を構成する、項目１１に記載の洗浄組成物。
［１５］
前記アニオン性界面活性剤が、前記洗浄組成物の約１０質量％〜約３５質量％を構成する、項目１１に記載の洗浄組成物。
［１６］
前記洗浄組成物の約０．０１質量％〜約１５質量％を構成するキレート剤を更に含む、項目１１に記載の洗浄組成物。
［１７］
前記共溶媒がグリコールエーテルである、項目１１に記載の洗浄組成物。
［１８］
前記洗浄組成物のｐＨが約６．５〜約１０である、項目１１に記載の洗浄組成物。
［１９］
表面からアスファルト、食紅又は黒色油性汚れを除去する方法であって、前記方法は：
洗剤を希釈水で希釈して使用溶液を形成することであって、前記洗剤は、Ｃ８及び／又はＣ１０ジメチルアルキルアミド溶媒と、アニオン性界面活性剤塩と、共溶媒と、水とを含み、前記組成物はｄ−リモネンを本質的に含まない、ことと；
前記表面を前記使用溶液と接触させることとを含む、方法。
［２０］
前記汚れは最高約２０質量％のタンパク質を含む、項目１９に記載の方法。
【図１】
0006680700.tif 000012
【図２】
0006680700.tif 000013